(57)【要約】【課題】従来に比較して低コストで定期的な検査作業の省力化を図る。【解決手段】固有のアドレスが割り当てられた複数の照明装置Ａと、これら複数の照明装置Ａが通信路Ｌｓでバス配線され固有アドレスにより各照明装置Ａを識別してデータを授受するコントローラＢとを備える。複数の照明装置ＡとコントローラＢを通信路Ｌｓでバス配線しているから、施工が簡単になりコストダウンが図れる。また、コントローラＢから検査開始コマンドを送信することで照明装置Ａに検査を行わせるとともに検査結果をコントローラＢに返信させているので、検査作業が省力化できるとともに各照明装置Ａでは検査終了のタイミングを規定する点灯終了コマンドを送信するだけでよく、検査結果の判断はコントローラＢで行うようにしているから、照明装置Ａが安価に構成できる。【選択図】　　　　図１
2004119150.tif 000002
【特許請求の範囲】
【請求項１】
固有のアドレスが割り当てられた複数の照明装置と、これら複数の照明装置が通信路でバス配線され前記固有アドレスにより各照明装置を識別してデータを授受するコントローラとからなり、コントローラから与えられるコマンドデータに応じて照明装置にて非常点灯の検査が行われる照明システムであって、照明装置は、非常用電源となる２次電池と、常用電源から電力供給を受けて２次電池を充電する充電手段と、少なくとも常用電源の停電時に２次電池からの電力供給で光源を点灯する点灯手段と、前記通信路を通してコントローラとの間でデータ通信を行う通信手段と、コントローラから与えられるコマンドデータを解釈し充電手段、点灯手段並びに通信手段を制御する制御手段とを備え、コントローラは、前記通信路を通して各照明装置との間でデータ通信を行う通信手段と、少なくとも各照明装置に対して非常点灯の検査を開始させるための検査開始コマンドを作成して通信手段から送信させる制御手段とを備え、照明装置の制御手段は、コントローラから検査開始コマンドを受信したときに非常点灯の検査を行うとともに検査の終了をコントローラに返信し、コントローラの制御手段は検査開始コマンドに対する照明装置からの応答状況に応じて次の検査開始コマンドを送信することを特徴とする照明システム。
【請求項２】
コントローラの制御手段は、複数の照明装置に対して順次、検査開始コマンドを送信することを特徴とする請求項１記載の照明システム。
【請求項３】
２次電池の電池電圧を検出する電圧検出手段を照明装置に設け、コントローラの制御手段は、検査開始コマンドを送信した時点から点灯維持時間の計時を開始し、照明装置の制御手段は、検査開始コマンドを受信すると２次電池からの電力供給で点灯手段により光源を点灯させ、電圧検出手段で検出する電池電圧が所定のしきい値を下回った時点で検査終了を通信手段によりコントローラに送信することを特徴とする請求項１又は２記載の照明システム。
【請求項４】
２次電池の電池電圧を検出する電圧検出手段を照明装置に設け、照明装置の制御手段は、検査開始コマンドを受信すると２次電池からの電力供給で点灯手段により光源を点灯させるとともに点灯維持時間の計時を開始し、電圧検出手段で検出する電池電圧が所定のしきい値を下回った時点の点灯維持時間を通信手段によりコントローラに送信することを特徴とする請求項１又は２記載の照明システム。
【請求項５】
照明装置の制御手段は、電池電圧がしきい値を下回った後も２次電池が過放電にならず且つ充分低い電圧に低下するまで点灯手段による光源の点灯を維持させることを特徴とする請求項３又は４記載の照明システム。
【請求項６】
照明装置の制御手段は、検査のために放電した２次電池を充電手段にて充電した後にコントローラに対して検査終了を返信することを特徴とする請求項１〜５の何れかに記載の照明システム。
【請求項７】
それぞれに照明装置が設置された複数の区域のうちで一つの区域に設置される１乃至複数の照明装置に対して同一のグループアドレスが割り当てられ、照明装置の制御手段は、自己のグループアドレスを送信元のアドレスとしてコントローラに検査結果を返信することを特徴とする請求項１〜６の何れかに記載の照明システム。
【請求項８】
それぞれに複数の照明装置がバス配線された複数のコントローラを統括する上位コントローラを備え、各コントローラから上位コントローラへは何れかの照明装置の検査結果が異常であったことのみを２値信号で伝送することを特徴とする請求項１〜７の何れかに記載の照明システム。
【請求項９】
コントローラの制御手段は、通信路の状態を確認するための確認信号を定期的に照明装置に送信し、照明装置から確認信号に対する応答が得られない場合に通信路の異常と判断することを特徴とする請求項１〜８の何れかに記載の照明システム。
【発明の詳細な説明】
【０００１】
【発明の属する技術分野】
本発明は、複数の照明装置とコントローラからなる照明システムに関するものである。
【０００２】
【従来の技術】
誘導灯や非常灯のような非常用の照明装置は、火災や地震等による停電時に２次電池からなる非常用電源でランプを点灯（非常点灯）させるものであり、２次電池による非常点灯が正常に行われるか否かの検査を定期的に行う必要がある。
【０００３】
通常、非常用の照明装置には常用電源（商用電源）からランプへの電力供給を強制的に停止して擬似的な停電状態とするためのスイッチが設けられており、検査作業者が装置本体から垂下されている引き紐を操作して上記スイッチをオンさせることにより、２次電池から電力供給してランプを非常点灯させることで２次電池の検査が行われている。そして、実際にはランプが点灯可能か否かの判断だけを行って上記スイッチをオフしてしまう場合もあり、本当に規定の時間だけランプを点灯維持できるか否かは判断できていなかった。また、一つ一つの照明装置について検査作業者がスイッチの操作を行わなければならず、検査作業としても効率の悪いものであった。
【０００４】
このような問題を解決するために、複数の個別非常照明ユニット（照明装置）と、中央監視制御ユニットと、両者を結ぶ通信システムとからなり、通信システムがループ状に接続された各個別非常照明ユニット及び中央監視制御ユニットに具備された送受信器ユニットを含み、各個別非常照明ユニットの番地付けが容易に行えるとともに過去に行われた２次電池の診断結果を記憶し、個別非常照明ユニットの動作履歴を知ることが可能な照明システムが提案されている（特許文献１参照）。すなわち、この従来システムでは、中央監視制御ユニットから各個別非常照明ユニットにコマンドを送信して定期的に検査を行わせることが可能である。
【０００５】
【特許文献１】
特開平３−２２８４９７号公報（第２頁右下欄第５行〜第３頁左上欄第３行、第１０図）
【０００６】
【発明が解決しようとする課題】
しかしながら、上記従来例では、複数の個別非常照明ユニットが全て一つの経路で接続しなければならないため、距離が長く且つ個別非常照明ユニットの台数が比較的に少ないシステム構成の場合には経路の配線長が必要以上に長くなってコストが高くつくという問題があった。また、多数の照明装置が設置されるマンションやオフィスビルなどでは、同一階であっても防火区画で電源経路が分割されている場合が多く、上記従来例では配線のロスが多くなってしまう。さらに、上記従来例では各照明装置に検査結果を記憶するための記憶部を設ける必要があるため、多数の照明装置を備えた大規模なシステムではコストが非常に高くついてしまう。
【０００７】
本発明は上記事情に鑑みて為されたものであり、その目的は、従来に比較して低コストで定期的な検査作業の省力化を図った照明システムを提供することにある。
【０００８】
【課題を解決するための手段】
請求項１の発明は、上記目的を達成するために、固有のアドレスが割り当てられた複数の照明装置と、これら複数の照明装置が通信路でバス配線され前記固有アドレスにより各照明装置を識別してデータを授受するコントローラとからなり、コントローラから与えられるコマンドデータに応じて照明装置にて非常点灯の検査が行われる照明システムであって、照明装置は、非常用電源となる２次電池と、常用電源から電力供給を受けて２次電池を充電する充電手段と、少なくとも常用電源の停電時に２次電池からの電力供給で光源を点灯する点灯手段と、前記通信路を通してコントローラとの間でデータ通信を行う通信手段と、コントローラから与えられるコマンドデータを解釈し充電手段、点灯手段並びに通信手段を制御する制御手段とを備え、コントローラは、前記通信路を通して各照明装置との間でデータ通信を行う通信手段と、少なくとも各照明装置に対して非常点灯の検査を開始させるための検査開始コマンドを作成して通信手段から送信させる制御手段とを備え、照明装置の制御手段は、コントローラから検査開始コマンドを受信したときに非常点灯の検査を行うとともに検査の終了をコントローラに返信し、コントローラの制御手段は検査開始コマンドに対する照明装置からの応答状況に応じて次の検査開始コマンドを送信することを特徴とする。
【０００９】
請求項２の発明は、請求項１の発明において、コントローラの制御手段は、複数の照明装置に対して順次、検査開始コマンドを送信することを特徴とする。
【００１０】
請求項３の発明は、請求項１又は２の発明において、２次電池の電池電圧を検出する電圧検出手段を照明装置に設け、コントローラの制御手段は、検査開始コマンドを送信した時点から点灯維持時間の計時を開始し、照明装置の制御手段は、検査開始コマンドを受信すると２次電池からの電力供給で点灯手段により光源を点灯させ、電圧検出手段で検出する電池電圧が所定のしきい値を下回った時点で検査終了を通信手段によりコントローラに送信することを特徴とする。
【００１１】
請求項４の発明は、請求項１又は２の発明において、２次電池の電池電圧を検出する電圧検出手段を照明装置に設け、照明装置の制御手段は、検査開始コマンドを受信すると２次電池からの電力供給で点灯手段により光源を点灯させるとともに点灯維持時間の計時を開始し、電圧検出手段で検出する電池電圧が所定のしきい値を下回った時点の点灯維持時間を通信手段によりコントローラに送信することを特徴とする。
【００１２】
請求項５の発明は、請求項３又は４の発明において、照明装置の制御手段は、電池電圧がしきい値を下回った後も２次電池が過放電にならず且つ充分低い電圧に低下するまで点灯手段による光源の点灯を維持させることを特徴とする。
【００１３】
請求項６の発明は、請求項１〜５の何れかの発明において、照明装置の制御手段は、検査のために放電した２次電池を充電手段にて充電した後にコントローラに対して検査終了を返信することを特徴とする。
【００１４】
請求項７の発明は、請求項１〜６の何れかの発明において、それぞれに照明装置が設置された複数の区域のうちで一つの区域に設置される１乃至複数の照明装置に対して同一のグループアドレスが割り当てられ、照明装置の制御手段は、自己のグループアドレスを送信元のアドレスとしてコントローラに検査結果を返信することを特徴とする。
【００１５】
請求項８の発明は、請求項１〜７の何れかの発明において、それぞれに複数の照明装置がバス配線された複数のコントローラを統括する上位コントローラを備え、各コントローラから上位コントローラへは何れかの照明装置の検査結果が異常であったことのみを２値信号で伝送することを特徴とする。
【００１６】
請求項９の発明は、請求項１〜８の何れかの発明において、コントローラの制御手段は、通信路の状態を確認するための確認信号を定期的に照明装置に送信し、照明装置から確認信号に対する応答が得られない場合に通信路の異常と判断することを特徴とする。
【００１７】
【発明の実施の形態】
（実施形態１）
本実施形態の照明システムは、固有のアドレスが割り当てられた複数の照明装置Ａと、これら複数の照明装置Ａが通信路Ｌｓでバス配線され前記固有アドレスにより各照明装置Ａを識別してデータを授受するコントローラＢとからなる。
【００１８】
照明装置Ａは、建物の避難経路に沿って設置され、常時及び非常時に点灯して避難誘導を行うための誘導灯であって、図２に示すように非常用電源となる２次電池１と、常用電源である商用電源ＡＣから電力供給を受けて２次電池１を充電する充電回路２と、常時は商用電源ＡＣからの電力供給で光源（図示せず）を点灯し商用電源ＡＣの停電時（非常時）に２次電池１からの電力供給で光源を点灯する点灯回路３と、通信路Ｌｓを通してコントローラＢとの間でデータ通信を行う通信部４と、コントローラＢから与えられるコマンドデータを解釈し充電回路２、点灯回路３並びに通信部４を制御する制御部５と、２次電池１の電池電圧を検出する電圧検出部５とを備えている。充電回路２及び点灯回路３にはスイッチ７を介して商用電源ＡＣから電力供給が行われ、制御部５によりスイッチ７をオフすることで商用電源ＡＣからの電力供給を強制的に停止して擬似的に停電状態とすることができる。また、制御部５はマイクロコンピュータを主構成要素とし、予め与えられるプログラムを実行することによって種々の動作を行うものである。
【００１９】
一方、コントローラＢは建物の管理室等に設置され、各照明装置Ａに非常点灯の検査を行わせるとともにその検査結果を取得して報知するものであって、図３に示すように通信路Ｌｓを通して各照明装置Ａとの間でデータ通信を行う通信部１１と、少なくとも各照明装置Ａに対して非常点灯の検査を開始させるための検査開始コマンドを作成して通信部１１から送信させる制御部１２と、外部からの操作入力を取り込む操作入力部１３と、照明装置Ａの固有アドレス等のデータを記憶する記憶部１４と、検査結果等を表示する表示部１５とを備えている。制御部１２はマイクロコンピュータを主構成要素とし、予め与えられるプログラムを実行することによって後述する種々の動作を行う。また、表示部１５は発光ダイオード等からなる異常表示灯１５ａと液晶ディスプレイなどの表示素子１５ｂとを具備しており（図１参照）、制御部１２から与えられる指令に基づいて異常表示灯１５ａの点滅及び表示素子１５ｂの駆動を行う。
【００２０】
本実施形態の照明装置Ａは、商用電源ＡＣから電力供給を受けているとき（常時）には、制御部５によりスイッチ７をオンして充電回路２により２次電池１を充電するとともに点灯回路３により光源を点灯させているが、停電により商用電源ＡＣからの電力供給が停止したとき（非常時）には、２次電池１から点灯回路３へ電力供給を行って光源を点灯（非常点灯）させる。そして、復電により商用電源ＡＣからの電力供給が再開されれば、再び商用電源ＡＣからの電力供給で充電回路２により２次電池１を充電するとともに点灯回路３により光源を点灯させる。
【００２１】
ところで、本実施形態の照明システムでは、２次電池１による非常点灯が正常に行われるか否かの検査、すなわち、２次電池１の電池電圧が所定のしきい値を下回るまで光源を点灯させ続けることのできる時間（点灯維持時間）が所定時間以上か否かで２次電池１の寿命を判断する検査（電池寿命検査）を各照明装置Ａに対して定期的に行っており、以下、コントローラＢによって各照明装置Ａに電池寿命検査を行わせる動作を説明する。
【００２２】
まず、コントローラＢの操作入力部１３に設けられた検査開始ボタン１３ａ（図１参照）が操作されると、操作入力部１３から制御部１２に操作信号が入力される。操作信号が入力されると、制御部１２は最初の照明装置Ａの固有アドレスと検査開始コマンドを含む伝送信号Ｖｓを通信部１１から通信路Ｌｓに送出する。ここで、伝送信号Ｖｓは図４に示すようなフォーマットを有しており、伝送信号Ｖｓの開始を示すスタートビットＳＴ、送信先の固有アドレスを示すアドレスビットＡＤ、検査開始コマンド等のコマンドデータを示すコマンドビットＣＤ、伝送信号Ｖｓの終了を示すストップビットＳＰからなり、全体で１８〜２０ビットで構成されている。通信路Ｌｓにバス配線されている照明装置Ａでは、上記伝送信号Ｖｓを通信部４で取り込むとともにアドレスビットＡＤの固有アドレスが自己の固有アドレスと一致するか否かを制御部５にて判断し、一致しないときには自己宛の伝送信号Ｖｓでないから破棄し、一致したときのみコマンドビットＣＤのコマンドデータを取り込んで処理する。
【００２３】
検査開始コマンドを受け取った照明装置Ａの制御部５は、スイッチ７をオフして擬似的な停電状態として２次電池１からの電力供給で点灯回路３に光源を点灯させる（検査の開始）。点灯回路３が光源を点灯させている間、電圧検出部６で検出される２次電池１の電池電圧が制御部５に取り込まれている。そして、電池電圧が所定のしきい値を下回ると、制御部５は点灯終了を報せる伝送信号Ｖｓｓを通信部４からコントローラＢ宛に送信する。この伝送信号Ｖｓｓは、図５に示すようにアドレスビットＡＤにコントローラＢの固有アドレスを設定し、コマンドビットＣＤに点灯終了を報せるコマンドデータを設定したものである。
【００２４】
照明装置Ａから伝送信号Ｖｓｓを受信したコントローラＢでは、図６に示すように制御部１２が検査開始コマンドの送信時点から開始していた点灯維持時間の計時を停止するとともに点灯維持時間を所定の基準時間と比較し、点灯維持時間が基準時間を越えていれば正常、基準時間以下であれば異常と判断する。そして、異常と判断した場合、制御部１２は表示部１５を制御し表示灯１５ａを点灯させて異常の発生を報せるとともに、表示素子１５ｂに検査で２次電池１が異常と判断された照明装置Ａの固有アドレスを表示する。また、正常と判断した場合、制御部１２は次の照明装置Ａの固有アドレス宛に検査開始コマンドを含む伝送信号Ｖｓを送信し、以降、各照明装置Ａに対して順次検査開始コマンドを送信して検査を行わせる。すなわち、本実施形態においては、コントローラＢが検査開始コマンドに対する照明装置Ａからの返信信号（伝送信号Ｖｓｓ）に基づいて次の検査開始コマンドの送信タイミングを規定している。
【００２５】
上述のように本実施形態によれば、複数の照明装置ＡとコントローラＢを通信路Ｌｓでバス配線しているから、従来例のようにループ状に配線する構成に比較して、コントローラＢから最も遠い位置にある照明装置Ａに対しても片道の配線でよいから施工が簡単になりコストダウンが図れる。また、コントローラＢから検査開始コマンドを送信することで照明装置Ａに検査を行わせるとともに検査結果（点灯終了コマンド）をコントローラＢに返信させているので、作業者が一つの一つの照明装置Ａを検査して回る必要がないから検査作業が省力化でき、しかも、各照明装置Ａでは検査終了のタイミングを規定する点灯終了コマンドを送信するだけでよく、検査結果の判断はコントローラＢで行うようにしているから、従来例のように各照明装置Ａに検査結果を判断する手段や記憶する手段を設ける必要がなくて照明装置Ａが安価に構成できる。
【００２６】
ところで、上述の検査は定期的に行われているのであるが、２次電池１の特性として浅い充放電が繰り返されると所謂メモリ効果が生じて見かけ上の寿命が低下してしまう場合がある。そこで、照明装置Ａの制御部５が、電池電圧がしきい値を下回った後も２次電池１が過放電にならず且つ充分低い電圧（例えば、制御部５の動作可能電圧程度）に低下するまで２次電池１からの電力供給により点灯回路３で光源の点灯を継続させるようにすれば、毎回の検査で２次電池に浅い充放電が繰り返されることがないからメモリ効果が生じるのを防ぐことができて長寿命化が図れる。
【００２７】
また、照明装置Ａの制御部５が、検査のために放電した２次電池１を充電回路２にて充電した後にコントローラＢに対して点灯終了コマンドを返信するようにすれば、検査中に停電が起こったときに２次電池１が放電されてしまっている照明装置Ａが検査中のものだけとなるから安全性が向上するという利点がある。
【００２８】
（実施形態２）
本実施形態の照明システムは、図７に示すようにコントローラＢに複数系統（例えば、３系統）の通信路Ｌｓ１，Ｌｓ２，Ｌｓ３が接続され、各通信路Ｌｓ１〜Ｌｓ３にそれぞれ複数の照明装置Ａがバス配線されている。但し、照明装置Ａ並びにコントローラＢの構成及び動作は基本的に実施形態１と共通である。
【００２９】
すなわち、大型のオフィスビルなどでは誘導灯（照明装置Ａ）の台数もかなり多くなるから、実施形態１のように１系統の通信路Ｌｓに全ての照明装置Ａをバス配線することは実用的ではなく、例えば、予め防災管理のために分けられた区画（防災区画）毎に通信路Ｌｓを分けることが一般的である。このようにすれば、照明装置Ａの台数が多い大規模なシステムにおいても通信路Ｌｓ１〜Ｌｓ３の施工性が向上するという利点がある。
【００３０】
ところで、実施形態１ではコントローラＢの制御部１２が点灯維持時間の計時を行っているが、本実施形態では、各照明装置Ａの制御部５が検査開始コマンドを受け取って点灯を開始してから電池電圧が所定のしきい値を下回る時点までの時間（点灯維持時間）の計時を行うとともに、点灯維持時間が基準時間を越えていれば正常、基準時間以下であれば異常と判断し、その判断結果（検査結果）を伝送信号によりコントローラＢに送信する。この伝送信号を受信したコントローラＢの制御部１２においては、実施形態１と同様に、検査結果が異常の場合に表示部１５を制御し表示灯１５ａを点灯させて異常の発生を報せるとともに、表示素子１５ｂに検査で２次電池１が異常と判断された照明装置Ａの固有アドレスを表示し、さらに、検査結果が正常の場合に次の照明装置Ａの固有アドレス宛に検査開始コマンドを含む伝送信号Ｖｓを送信し、以降、各照明装置Ａに対して順次検査開始コマンドを送信して検査を行わせる。但し、通信路Ｌｓ１の系統の照明装置Ａについて順次検査を行った後に通信路Ｌｓ２の系統の照明装置Ａについて順次検査を行うというように全ての照明装置Ａについて順次検査を行ってもよいが、通信路Ｌｓ１〜Ｌｓ３の各系統毎に並行して、すなわち、ある時点で各系統１台ずつの合計３台の照明装置Ａで同時に検査を行うようにすれば、大規模システムにおける検査時間が短縮できるという利点がある。
【００３１】
なお、全ての照明装置Ａに対して固有のアドレスを割り当ててもよいが、各系統（通信路Ｌｓ１〜Ｌｓ３）毎で照明装置Ａに固有のアドレスを割り当て、異なる系統に属する照明装置Ａに対して同じ固有アドレスを重複して割り当てても構わない。
【００３２】
（実施形態３）
本実施形態の照明システムは、それぞれに複数の照明装置Ａが設置された複数の区域のうちで一つの区域に設置される複数の照明装置Ａに対して同一のグループアドレスが割り当てられている点に特徴がある。
【００３３】
例えば、図８に示すように３階建のビルの各階に、１系統の通信路ＬｓでコントローラＢにバス配線された複数（例えば、６台）の照明装置Ａが設置され、各階をそれぞれ一つの区域とする場合を考える。各照明装置Ａには１〜１８の固有アドレス（図８において上段に印した数字）と、１Ｆ又は２Ｆ又は３Ｆの各区域（各階）Ｍ１〜Ｍ３に固有のグループアドレスＧｒ１〜Ｇｒ３（図８において下段に印した記号）が割り当てられる。ここで、固有アドレスについては各照明装置Ａを施工する前に割り当てているが、グループアドレスＧｒ１〜Ｇｒ３については施工後にコントローラＢから送信するグループアドレス設定用のコマンドによって割り当てている。例えば、各照明装置Ａの配置順を考慮して通信路Ｌｓの上流側（コントローラＢに近い側）から順番に６台ずつの照明装置Ａに対して同一のグループアドレスＧｒ１〜Ｇｒ３を割り当てるようにすればよい。このようにすれば、固有アドレスが順番に並ぶように照明装置Ａを設置し、固有アドレスと各階毎のグループの対応関係を照明装置ＡあるいはコントローラＢに設定する場合に比較して、施工時に固有アドレスを考慮しながら照明装置Ａを設置する必要がなく、施工作業やアドレスの設定作業が簡素化できるという利点がある。
【００３４】
ところで、本実施形態においては、各照明装置Ａの制御部５が検査開始コマンドを受け取って点灯を開始してから電池電圧が所定のしきい値を下回る時点までの点灯維持時間の計時を行うとともに、点灯維持時間が基準時間を越えていれば正常、基準時間以下であれば異常と判断し、その判断結果（検査結果）を伝送信号によりコントローラＢに送信する点は実施形態２と共通であるが、伝送信号を送信する際に固有アドレスの代わりに自己に割り当てられたグループアドレスＧｒ１〜Ｇｒ３を付加して送信している。そして、この伝送信号を受信したコントローラＢの制御部１２は、検査結果が異常の場合に表示部１５を制御し表示灯１５ａを点灯させて異常の発生を報せるとともに、表示素子１５ｂに検査で２次電池１が異常と判断された照明装置ＡのグループアドレスＧｒ１〜Ｇｒ３を表示する。したがって、表示素子１５ｂに表示されたグループアドレスＧｒ１〜Ｇｒ３に対応する区域Ｍ１〜Ｍ３に作業者が出向いて光源が点灯していない照明装置Ａを確認し、その照明装置Ａの２次電池１を交換することができる。
【００３５】
なお、区域Ｍ１の照明装置Ａについて順次検査を行った後に区域Ｍ２の照明装置Ａについて順次検査を行うというように全ての照明装置Ａについて順次検査を行ってもよいが、各区域Ｍ１〜Ｍ３毎に並行して、すなわち、ある時点で各区域Ｍ１〜Ｍ３で１台ずつの合計３台の照明装置Ａで同時に検査を行うようにすれば、検査時間が短縮できて大規模システムにも適用可能となる。
【００３６】
（実施形態４）
本実施形態の照明システムは、図９に示すようにそれぞれに複数の照明装置Ａがバス配線された複数のコントローラＢ１，Ｂ２を統括する上位コントローラＣを備え、各コントローラＢ１，Ｂ２から上位コントローラＣへは何れかの照明装置Ａの検査結果が異常であったことのみを２値信号で伝送するようにした点に特徴がある。但し、照明装置Ａ並びにコントローラＢ１，Ｂ２の構成及び動作は実施形態２と共通であるから図示並びに説明は省略する。
【００３７】
２台のコントローラＢ１，Ｂ２には、それぞれ２系統の通信路Ｌｓ１，Ｌｓ２及びＬｓ３，Ｌｓ４が接続され、各通信路Ｌｓ１〜Ｌｓ４には各々９台の照明装置Ａがバス配線されている。ここで、照明装置Ａの固有アドレスは各系統毎に割り当てられており、異なる系統では同一の固有アドレスが重複して割り当てられている。
【００３８】
一方、本実施形態における上位コントローラＣは、少なくともコントローラＢ１，Ｂ２から２値信号で伝送される異常発生信号を受信する受信手段と、受信手段で異常発生信号を受信した場合に異常発生信号の送信元であるコントローラＢ１又はＢ２を特定する表示と異常の発生を報知する表示を行う表示手段とを備えている。なお、受信手段は、例えば各コントローラＢ１，Ｂ２と接続される信号線にバイアス電圧を印加し、コントローラＢ１，Ｂ２にて信号線が短絡されることでハイレベルからローレベルに変化する信号線の線間電圧からなる異常発生信号を受信するものであり、コントローラＢ１，Ｂ２の通信部１１のように複雑なデジタル信号を送受信する構成が必要でないから安価に構成できる。
【００３９】
ここで、コントローラＢ１，Ｂ２では各通信路Ｌｓ１〜Ｌｓ４に検査開始信号を順次送出して各照明装置Ａに順次検査を行わせるとともに、何れかの照明装置Ａから異常の発生を報せる検査結果を受け取った場合、制御部１２が表示部１５を制御し表示灯１５ａを点灯させて異常の発生を報せるとともに、表示素子１５ｂに検査で２次電池１が異常と判断された照明装置Ａの接続された系統（通信路Ｌｓ１〜Ｌｓ４）を表示させ、さらに、異常発生信号を上位コントローラＣに送信する。異常発生信号を受信した上位コントローラＣでは、表示手段が具備する表示素子２０にて異常発生信号の送信元であるコントローラＢ１又はＢ２を特定する表示を行うとともに表示灯２１を点灯して異常の発生を報知する。
【００４０】
而して、上位コントローラＣの表示素子２０及び表示灯２１の表示を確認した作業者が該当するコントローラＢ１（又はＢ２）のところへ出向き、コントローラＢ１（又はＢ２）の表示素子１５ｂの表示を確認して異常が発生した照明装置Ａが接続されている系統を知ることができる。
【００４１】
このように構成された本実施形態の照明システムでは、大規模なシステムから中規模、小規模のシステムまでシステムの規模に柔軟に対応することができ、しかも、上位コントローラＣの構成が簡略化できるという利点がある。
【００４２】
（実施形態５）
本実施形態の照明システムは、図１０に示すようにそれぞれに複数の照明装置Ａがバス配線された複数のコントローラＢ１，Ｂ２を統括する上位コントローラＣを備える点で実施形態４と共通し、検査により異常が検出された場合に点灯して異常発生を表示する異常表示灯８を各照明装置Ａに具備するとともに、異常が発生した照明装置Ａに割り当てられているグループアドレスを表示する表示素子１５ｃをコントローラＢ１，Ｂ２の表示部１５に設けた点に特徴がある。各コントローラＢ１，Ｂ２においては、図１０に示すように２つの系統（通信路Ｌｓ１，Ｌｓ２とＬｓ３，Ｌｓ４）毎に数台ずつの照明装置Ａに同一のグループアドレスＧｒ１〜Ｇｒ３が割り当てられている。なお、図１０において点線で囲まれた照明装置Ａが同一のグループに属している。
【００４３】
ここで、照明装置Ａの制御部５は、コントローラＢ１，Ｂ２から検査開始コマンドを受け取って検査を行い、その検査結果を自己に割り当てられたグループアドレスＧｒ１〜Ｇｒ３を付加して伝送信号によりコントローラＢ１，Ｂ２に送信する。そして、この伝送信号を受信したコントローラＢ１，Ｂ２の制御部１２は、検査結果が異常の場合に表示部１５を制御し表示灯１５ａを点灯させて異常の発生を報せ、検査で２次電池１が異常と判断された照明装置Ａの接続された系統（通信路Ｌｓ１〜Ｌｓ４）を表示素子１５ｂに表示させるとともに、検査で２次電池１が異常と判断された照明装置Ａのグループアドレスを表示素子１５ｃに表示させ、さらに、異常発生信号を上位コントローラＣに送信する。異常発生信号を受信した上位コントローラＣでは、表示手段が具備する表示素子２０にて異常発生信号の送信元であるコントローラＢ１又はＢ２を特定する表示を行うとともに表示灯２１を点灯して異常の発生を報知する。なお、照明装置Ａにおいては、検査で異常が検出された場合に制御部５が異常表示灯８を点灯させて異常発生を報知している。
【００４４】
而して、上位コントローラＣの表示素子２０及び表示灯２１の表示を確認した作業者が該当するコントローラＢ１（又はＢ２）のところへ出向き、コントローラＢ１（又はＢ２）の表示素子１５ｂ，１５ｃの表示を確認して異常が発生した照明装置Ａが接続されている系統及びグループアドレスＧｒ１〜Ｇｒ３を知ることができ、さらに、表示素子１５ｂ，１５ｃに表示された系統及びグループアドレスＧｒ１〜Ｇｒ３に対応する場所に作業者が出向いて異常表示灯８の点灯を確認することで異常が発生した照明装置Ａを容易且つ正確に知ることができる。
【００４５】
ところで、コントローラＢ１，Ｂ２からの検査開始コマンドにより照明装置Ａが検査を開始した後は、照明装置Ａから検査結果が返信されてくるまでの間、検査中の照明装置ＡとコントローラＢ１，Ｂ２との間で通信が行われないが、もしもこの間に通信路Ｌｓ１〜Ｌｓ４に断線等の異常が発生して通信が不能となってもコントローラＢ１，Ｂ２において検査中なのか通信不能状態であるのかを判断することができない。
【００４６】
そこで、図１１に示すようにコントローラＢ１，Ｂ２の制御部１２が通信路Ｌｓ１〜Ｌｓ４の状態を確認するための確認信号Ｖｘを検査中の照明装置Ａに対して定期的に送信し、照明装置Ａから確認信号Ｖｘに対する応答（返信信号Ｖｙ又は伝送信号Ｖｓｓ）が得られない場合に通信路Ｌｓ１〜Ｌｓ４の異常と判断するようにすることが望ましい。そして、通信路Ｌｓ１〜Ｌｓ４に配線異常が生じていると判断したら、制御部１２は音声等によって配線の異常発生を報せる。このようにすれば、通信路Ｌｓ１〜Ｌｓ４の異常により検査結果が誤判断されるのを防ぐことができる。
【００４７】
【発明の効果】
請求項１の発明は、固有のアドレスが割り当てられた複数の照明装置と、これら複数の照明装置が通信路でバス配線され前記固有アドレスにより各照明装置を識別してデータを授受するコントローラとからなり、コントローラから与えられるコマンドデータに応じて照明装置にて非常点灯の検査が行われる照明システムであって、照明装置は、非常用電源となる２次電池と、常用電源から電力供給を受けて２次電池を充電する充電手段と、少なくとも常用電源の停電時に２次電池からの電力供給で光源を点灯する点灯手段と、前記通信路を通してコントローラとの間でデータ通信を行う通信手段と、コントローラから与えられるコマンドデータを解釈し充電手段、点灯手段並びに通信手段を制御する制御手段とを備え、コントローラは、前記通信路を通して各照明装置との間でデータ通信を行う通信手段と、少なくとも各照明装置に対して非常点灯の検査を開始させるための検査開始コマンドを作成して通信手段から送信させる制御手段とを備え、照明装置の制御手段は、コントローラから検査開始コマンドを受信したときに非常点灯の検査を行うとともに検査の終了をコントローラに返信し、コントローラの制御手段は検査開始コマンドに対する照明装置からの応答状況に応じて次の検査開始コマンドを送信することを特徴とし、複数の照明装置とコントローラを通信路でバス配線しているから、従来例のようにループ状に配線する構成に比較して施工が簡単になりコストダウンが図れる。また、コントローラから検査開始コマンドを送信することで照明装置に検査を行わせるとともに検査終了をコントローラに返信させているので、作業者が一つの一つの照明装置を検査して回る必要がないから検査作業が省力化でき、しかも、各照明装置では検査終了をコントローラに返信するだけでよいから、従来例のように各照明装置に検査結果を判断する手段や記憶する手段を設ける必要がなくて照明装置が安価に構成できる。
【００４８】
請求項２の発明は、請求項１の発明において、コントローラの制御手段は、複数の照明装置に対して順次、検査開始コマンドを送信することを特徴とし、複数の照明装置を１台ずつ検査することにより、検査中に停電が起こったときに２次電池が放電されてしまっている照明装置の台数を最小限に抑えることができて安全性が向上する。
【００４９】
請求項３の発明は、請求項１又は２の発明において、２次電池の電池電圧を検出する電圧検出手段を照明装置に設け、コントローラの制御手段は、検査開始コマンドを送信した時点から点灯維持時間の計時を開始し、照明装置の制御手段は、検査開始コマンドを受信すると２次電池からの電力供給で点灯手段により光源を点灯させ、電圧検出手段で検出する電池電圧が所定のしきい値を下回った時点で検査終了を通信手段によりコントローラに送信することを特徴とし、２次電池の寿命を定期的に検査することができ、実際の停電時に照明装置が不動作となる事態を回避することができる。
【００５０】
請求項４の発明は、請求項１又は２の発明において、２次電池の電池電圧を検出する電圧検出手段を照明装置に設け、照明装置の制御手段は、検査開始コマンドを受信すると２次電池からの電力供給で点灯手段により光源を点灯させるとともに点灯維持時間の計時を開始し、電圧検出手段で検出する電池電圧が所定のしきい値を下回った時点の点灯維持時間を通信手段によりコントローラに送信することを特徴とし、２次電池の寿命を定期的に検査することができ、実際の停電時に照明装置が不動作となる事態を回避することができる。
【００５１】
請求項５の発明は、請求項３又は４の発明において、照明装置の制御手段は、電池電圧がしきい値を下回った後も２次電池が過放電にならず且つ充分低い電圧に低下するまで点灯手段による光源の点灯を維持させることを特徴とし、毎回の検査で２次電池に浅い充放電が繰り返されることがないから所謂メモリ効果が生じるのを防ぐことができる。
【００５２】
請求項６の発明は、請求項１〜５の何れかの発明において、照明装置の制御手段は、検査のために放電した２次電池を充電手段にて充電した後にコントローラに対して検査終了を返信することを特徴とし、検査中に停電が起こったときに２次電池が放電されてしまっている照明装置が検査中のものだけとなるから安全性がさらに向上する。
【００５３】
請求項７の発明は、請求項１〜６の何れかの発明において、それぞれに照明装置が設置された複数の区域のうちで一つの区域に設置される１乃至複数の照明装置に対して同一のグループアドレスが割り当てられ、照明装置の制御手段は、自己のグループアドレスを送信元のアドレスとしてコントローラに検査結果を返信することを特徴とし、各照明装置の固有アドレスを考慮せずにグループアドレスを設定することができて施工作業の簡素化が図れる。
【００５４】
請求項８の発明は、請求項１〜７の何れかの発明において、それぞれに複数の照明装置がバス配線された複数のコントローラを統括する上位コントローラを備え、各コントローラから上位コントローラへは何れかの照明装置の検査結果が異常であったことのみを２値信号で伝送することを特徴とし、システムの規模に柔軟に対応することができ、しかも、上位コントローラの構成が簡略化できる。
【００５５】
請求項９の発明は、請求項１〜８の何れかの発明において、コントローラの制御手段は、通信路の状態を確認するための確認信号を定期的に照明装置に送信し、照明装置から確認信号に対する応答が得られない場合に通信路の異常と判断することを特徴とし、通信路の異常により検査結果が誤判断されるのを防ぐことができる。
【図面の簡単な説明】
【図１】実施形態１を示すシステム構成図である。
【図２】同上における照明装置を示すブロック図である。
【図３】同上におけるコントローラを示すブロック図である。
【図４】同上における伝送信号の信号フォーマットである。
【図５】同上における伝送信号の信号フォーマットである。
【図６】同上の動作説明図である。
【図７】実施形態２を示すシステム構成図である。
【図８】実施形態３を示すシステム構成図である。
【図９】実施形態４を示すシステム構成図である。
【図１０】実施形態５を示すシステム構成図である。
【図１１】同上の動作説明図である。
【符号の説明】
Ａ　照明装置
Ｂ　コントローラ
Ｌｓ　通信路
１　２次電池
２　充電回路
３　点灯回路
４　通信部
５　制御部
６　電圧検出部
７　スイッチ
【図１】
2004119150.tif 000003
【図２】
2004119150.tif 000004
【図３】
2004119150.tif 000005
【図４】
2004119150.tif 000006
【図５】
2004119150.tif 000007
【図６】
2004119150.tif 000008
【図７】
2004119150.tif 000009
【図８】
2004119150.tif 000010
【図９】
2004119150.tif 000011
【図１０】
2004119150.tif 000012
【図１１】
2004119150.tif 000013